(57)【要約】【課題】従来の生体認証装置は、認証部分が常に自動機表面に出ている状態で設置されているため、埃などの汚れにより認証精度が落ちたり、利用者の悪意を持って破壊をされてしまうなどの問題点があった。【解決手段】認証装置に縦長方向を軸として回転できる機構を設け、利用時以外は認証装置を取り付けた自動機の内部に収納しておき、利用時に自動的に認証装置を回転させ、利用できるようにする。また、認証装置の底部は半円筒形で丸みをつけることにより、利用時以外の認証装置が裏返っている際に、認証装置底面部分に荷物を置かれるなど、回転の妨げになることを防ぐ。また、認証装置の底面部に丸みをつけることにより、回転時に挟み込み、ごみの投げ入れなどを防ぐことができる。さらに、装置取付内部も認証装置裏面と同様に半円筒形にすることで、ごみを投げ入れられても、回転時に掃き出すことができる。【選択図】図５
2007156663.tif 000002
【特許請求の範囲】
【請求項１】
現金自動取引装置に取り付けた生体認証装置を、利用者が使用する際に装置を回転させ、利用者に使用させることを特徴とする生体認証装置取付機構。
【請求項２】
生体認証装置を回転させることにより、未使用時の汚れ・いたずらを防ぐことができることを特徴とする生体認証装置取付機構。
【請求項３】
生体認証装置を横に回転させることにより、追加部材を減らし、認証装置以外の部分の損傷を防ぐことを特徴とする生体認証装置。
【請求項４】
生体認証装置の裏面を半円筒形にすることで、回転部の上に利用者の荷物など、回転を妨げる行為を防ぐことが可能であることを特徴とする生体認証装置。
【請求項５】
生体認証装置の裏面を半円筒形にすることで、回転時に生じる取付部分の隙間を小さくし、ごみの投げ入れや利用者の手挟みを防ぐことができることを特徴とする生体認証装置。
【請求項６】
装置取付内部を装置裏面と同様の半円筒形にすることで、ごみが投げ入れられたとしても掃き出すことが可能であることを特徴とする生体認証装置。
【発明の詳細な説明】
【技術分野】
【０００１】
本発明は、生体認証装置取り付け機構に関する。
【背景技術】
【０００２】
個人を認証するために、特殊光を発する装置に身体の一部をかざすことで、個有の生体情報を読取り個人を認証する技術。特殊光によって映し出された身体内部情報をカメラで読取るため、カメラの読取り部分は、常に取り付けられた装置の外側に取り付けられるため、カメラ読取り部分に埃がたまったり、また、利用書の悪意により破壊される問題がある。
【０００３】
【特許文献１】特開２００４−３０６８０号公報
【発明の開示】
【発明が解決しようとする課題】
【０００４】
従来の生体認証装置は、認証部分が常に自動機表面に出ている状態で設置されているため、埃などの汚れにより認証精度が落ちたり、利用者の悪意を持って破壊をされてしまうなどの問題点があった。また、特開２００４−３０６８０号公報記載の認証精度を向上するために、外光を遮断してシャッタ上の機構を付加するという発明もされているが、認証部自体は常に外側に向けて設置されているため、汚れ防止の解決にはならなかった。また認証装置上に蓋状の機構を取り付け、自動的に開閉させることにより認証装置の汚れ、いたずらに対応する発明がされているが、立体的な認証装置の場合、取り付ける蓋の形状も複雑になり、大きくなってしまうことと、蓋自身が破壊されてしまうという問題点があった。
【課題を解決するための手段】
【０００５】
認証装置に縦長方向を軸として回転できる機構を設け、利用時以外は認証装置を取り付けた自動機の内部に収納しておき、利用時に自動的に認証装置を回転させ、利用できるようにする。また、認証装置の底部は半円筒形で丸みをつけることにより、利用時以外の認証装置が裏返っている際に、認証装置底面部分に荷物を置かれるなど、回転の妨げになることを防ぐ。また、認証装置の底面部に丸みをつけることにより、回転時に挟み込み、ごみの投げ入れなどを防ぐことができる。さらに装置取付内部を装置裏側と同様に半円筒形にすることで、ごみの投げ入れがあっても、回転時に掃き出すことができる。さらに、装置取付内部も認証装置裏面と同様に半円筒形にすることで、ごみを投げ入れられても、回転時に掃き出すことができる。
【発明の効果】
【０００６】
利用時以外は、取り付けた自動機の内側に収納されているため、読取り部分の汚れによる認証精度の劣化は発生しない。また、内側に収納されている際は、利用者の悪意による破壊などにもあいにくくなる。さらに、回転する機構のため、取り付けた自動機に、余分な機構が追加されることはなく、汚れ・いたずらを防止する機構自身が利用者の悪意によって破壊されることも無い。
【発明を実施するための最良の形態】
【０００７】
図１は、生体認証装置を取り付けた現金自動取引装置である。１の現金取引装置の前面にある２の画面の右または左側に３の生体認証装置が取り付けられている。図３は生体認証装置取り付け部分の断面図である。３１の生体認証装置は３２の認証装置台座部に取り付けられており、３２の認証装置台座部および３１の認証装置の中心となる位置に中心部が空洞の軸３３を取り付ける。３２の軸は３４の軸受けにより、３５の自動機前面の平面部にあたる筐体部と回転できるように取り付けられる。３２の認証装置台座部と３５の自動機前面筐体部とが接する部分には、隙間が出来ないように、且つ、回転時に干渉し回転を妨げないように、３１０のゴム状のものを３２の認証装置台座部に取り付ける。３３の中心を空洞とした軸の内側には、認証装置で必要となる３６のケーブルを通す。３３の軸に３８のベルトを取り付け、ベルトは３７のモータ軸に取付られ、モータの回転を３２の認証装置台座部に伝える。
【０００８】
３２の認証装置の裏面は３９で示したとおり、半円筒形とし、回転時に利用者のが指を挟んだりごみを入れたりするのを防ぐ。また、円筒形にすることで、３２の認証装置台座部が利用時以外の裏面３９が表に出ている際に、利用者がかばん等を上において、回転の際の妨げにならないようにする。さらに、万が一ごみを投げ入れられても回転時に掃き出すことができる。
【０００９】
図２は現金自動取引装置システムを示した図である。図７は生体認証を含む現金自動取引装置での取引フローを示す。顧客センサ部２１０で顧客検知７１し、初期画面を表示する（７２）。取引ボタンが押下された後、カード挿入要求画面を表示する（７３）。カード部２１にキャッシュカードが挿入されたら、指静脈認証データが格納されているカードかどうかをキャッシュカードの磁気ストライプ部の情報で判断する（７４）。指静脈認証データが格納されているカードの場合、ＩＣチップ内の情報を取りに行くと同時に、図８の認証装置部が回転する旨の注意喚起画面８１を表示する（７６）。注意喚起画面のＯＫボタンが押下されたら、認証装置を回転する（７７）。この時、画面は８２の画面を表示する。認証装置に利用者の指をかざすことを示す画面を表示（７８）し、認証中画面を表示し（７９）、認証結果を表示する（７１０）。指を離すことを示す画面を表示し（７１１）、暗証番号入力画面を表示する（７１２）。出金金額を入力する画面を表示し（７１３）、金額確認画面を表示する（７１４）。カード・明細票を２１から返却し（７１５）、現金を紙幣入出金部２４および硬貨入出金部２５から出金する（７１６）。認証装置回転注意喚起画面８３を表示し（７１７）、数秒後に認証装置を回転させる（７１８）。
【図面の簡単な説明】
【００１０】
【図１】生体認証装置付き現金自動取引装置を示す図。
【図２】現金自動取引装置システム図。
【図３】認証装置取付部断面図。
【図４】生体認証装置利用時以外の状態を示す図。
【図５】生体認証装置回転時の状態を示す図。
【図６】生体認証装置利用時の状態を示す図。
【図７】生体認証取引フローチャート。
【図８】生体認証装置回転時の注意喚起画面を示す図。
【符号の説明】
【００１１】
１…現金自動取引装置前面部、２…現金自動取引装置顧客操作画面、３…生体認証装置、２０…現金自動取引装置システム、２１…カード・明細票部、２２Ｉ…Ｃカード・リードライタ部、２３…通帳印字部、２４…紙幣入手金部、２５…硬貨入出金部、２６…ＯＳ、２７…ミドルウェア、２８…アプリケーション、２９…制御部、２１０…顧客検知センサ部、３１…認証装置、３２…認証装置取付台座部、３３…回転軸、３４…軸受け、３５…ＡＴＭ前面部、３６…認証装置ケーブル、３７…モータ軸、３８…ベルト、３９…認証装置取付内部、３１０…干渉防止ゴム。
【図１】
2007156663.tif 000003
【図２】
2007156663.tif 000004
【図３】
2007156663.tif 000005
【図４】
2007156663.tif 000006
【図５】
2007156663.tif 000007
【図６】
2007156663.tif 000008
【図７】
2007156663.tif 000009
【図８】
2007156663.tif 000010